(57)【要約】【課題】実用性に優れ、快適な睡眠を得る。【解決手段】架台フレーム１１上の枠体１３内に蓄熱体２１、２１…を敷設し、エアパイプからのエアにより蓄熱体２１、２１…を加温する。【選択図】図１
2006320374.tif 000002
【特許請求の範囲】
【請求項１】
架台フレームに枠体を搭載して構成するベッドフレームと、左右のヘッダパイプに交互に接続して前記枠体に配設する複数のエアパイプと、前記ヘッダパイプ、エアパイプを覆うようにして前記枠体内に敷設する蓄熱体とを備えてなり、該蓄熱体は、複数のネット袋に石礫を分割収納し、前記各エアパイプには、エアの吹出口を上向きに設け、前記ヘッダパイプを介して温風源からのエアを前記ベッドフレームの足元側から供給することを特徴とするベッド装置。
【請求項２】
前記温風源は、消音器付きのファンと、該ファンからのエアを加温するヒータ内蔵のパイプ形の加温器と、該加温器からのエアの温度を制御するコントローラとを備え、前記架台フレームに組み付けることを特徴とする請求項１記載のベッド装置。
【請求項３】
前記ベッドフレームには、頭部側から足元側に折畳み可能なトンネル形のカバーを付設し、該カバーは、前記ベッドフレームの足元側に立設する固定支柱と、前記ベッドフレームの頭部側に移動可能な複数の移動支柱とを介して支持することを特徴とする請求項１または請求項２記載のベッド装置。
【発明の詳細な説明】
【技術分野】
【０００１】
この発明は、適温の暖房雰囲気を作り、快適な睡眠を得ることができるベッド装置に関する。
【背景技術】
【０００２】
快適な睡眠を得るために、全身の暖房機能を備えるベッドが提案されている。
【０００３】
たとえば、ベッドフレームに遠赤外線ヒータを組み込み、遠赤外線ヒータからの遠赤外線を利用して礫状の鉱石を暖め、適温の暖房雰囲気を作ることが提案されている（特許文献１）。また、コンクリートによる蓄熱体内に熱媒体液の流通管路を設け、蓄熱体の上面にセラミックボールを敷き詰める形式も知られている（特許文献２）。
【特許文献１】実用新案登録第３０７６７９７号公報
【特許文献２】特開２００１−７０４６３号公報
【発明の開示】
【発明が解決しようとする課題】
【０００４】
かかる従来技術の前者によるときは、熱源が遠赤外線ヒータであるため、発生熱量が十分でなく、また、後者によるときは、コンクリートによる蓄熱体を使用し、熱源として熱媒体液を流通管路に循環させるから、全体重量が過大となる上、設備全体が複雑高価となり、いずれのものも、実用性に乏しいという問題があった。
【０００５】
そこで、この発明の目的は、かかる従来技術の問題に鑑み、熱源として温風を利用することによって、実用性に優れ、快適な睡眠と、それによるヒーリング効果とを容易に実現することができるベッド装置を提供することにある。
【課題を解決するための手段】
【０００６】
かかる目的を達成するためのこの発明の構成は、架台フレームに枠体を搭載して構成するベッドフレームと、左右のヘッダパイプに交互に接続して枠体に配設する複数のエアパイプと、ヘッダパイプ、エアパイプを覆うようにして枠体内に敷設する蓄熱体とを備えてなり、蓄熱体は、複数のネット袋に石礫を分割収納し、各エアパイプには、エアの吹出口を上向きに設け、ヘッダパイプを介して温風源からのエアをベッドフレームの足元側から供給することをその要旨とする。
【０００７】
なお、温風源は、消音器付きのファンと、ファンからのエアを加温するヒータ内蔵のパイプ形の加温器と、加温器からのエアの温度を制御するコントローラとを備え、架台フレームに組み付けることができ、ベッドフレームには、頭部側から足元側に折畳み可能なトンネル形のカバーを付設し、カバーは、ベッドフレームの足元側に立設する固定支柱と、ベッドフレームの頭部側に移動可能な複数の移動支柱とを介して支持することができる。
【発明の効果】
【０００８】
かかる発明の構成によるときは、ベッドフレームの枠体に配設する各エアパイプには、左右のヘッダパイプを介して温風源からのエアが供給されるから、エアの吹出口から吹き出す温風により蓄熱体を加温することができる。そこで、蓄熱体の上にクッション性のマットレスや毛布などを敷いて就寝すると、全身暖房による快適な睡眠と、それによるヒーリング効果とを得ることができる。なお、各エアパイプは、その配設間隔をベッドフレームの頭部側より足元側において狭くしたり、エアの吹出口の数を足元側において多くしたりすることにより、いわゆる頭寒足熱の暖房雰囲気を実現することができる。また、蓄熱体は、ネット袋に分割収納する石礫であるから、温風の通りがよく、熱効率も良好である。ただし、蓄熱体に用いる石礫は、粒径５０mm前後の角張っていないものがよく、遠赤外線の放射効率に優れたものを選択することが好ましい。また、各ネット袋に収納する石礫は、洗浄などの際の取扱いを容易にするために、数kg程度に抑えることが好ましい。
【０００９】
温風源は、ファンと、パイプ形の加温器と、コントローラとを組み合わせることにより、十分コンパクトにまとめてベッドフレームの下部の架台フレームに組み付けることができる。なお、ファンは、吸引側に消音器を付設することにより、騒音レベルを十分低くすることができ、加温器は、ファンからのエアを長手方向に流通させるパイプ内にヒータを挿着してパイプ形に形成することにより、架台フレームの長手方向に装着し易い形にまとめることができる。
【００１０】
ベッドフレームに付設するカバーは、就寝者の頭部を除く全身を足元側からトンネル形に覆うことにより、外部からの風を遮断し、暖気を閉じこめて一層良好な暖房雰囲気を作ることができる。なお、カバーは、固定支柱、移動支柱を組み合わせて頭部側から足元側に折畳み可能とすることにより、ベッドフレームに対する乗降りや寝起きなどに支障がない。
【発明を実施するための最良の形態】
【００１１】
以下、図面を以って発明の実施の形態を説明する。
【００１２】
ベッド装置は、長方形のベッドフレーム１０を主要部材としてなる（図１、図２）。
【００１３】
ベッドフレーム１０は、ブレーキ付きのキャスタ１２、１２…を有する架台フレーム１１に対し、浅い有底箱状の枠体１３を搭載して構成されている。架台フレーム１１、枠体１３の頭部側の一端には、衝立板１４が付設されており、枠体１３内には、複数のネット袋に石礫を分割収納する蓄熱体２１、２１…が一面に敷設されている。なお、蓄熱体２１、２１…上には、毛布やマットレスなどの寝具Ｂを掛け、頭部側に枕Ｐを置くなどして、就寝に適した環境を作ることができる。
【００１４】
枠体１３の底板１３ａ上には、断熱シート１３ｂを介し、左右のヘッダパイプ２３、２３に交互に接続するエアパイプ２２、２２…が横方向に櫛状に組み合わせて配設されている（図３、図４）。ただし、図３（Ａ）は、図１のＸ−Ｘ線矢視相当拡大断面図であり、同図（Ｂ）は、同図（Ａ）の一部を切り欠くＹ矢視相当拡大平面図である。
【００１５】
各エアパイプ２２には、エアの吹出口２２ａ、２２ａ…が多数上向きに設けられている。各エアパイプ２２の基端側は、継手２２ｂを介してヘッダパイプ２３に接続され、先端が閉じられている。また、各エアパイプ２２は、金具２２ｃを介して断熱シート１３ｂ上に固定されている。エアパイプ２２、２２…は、ベッドフレーム１０の頭部側より足元側において、互いの配設間隔が狭くなっている。また、ヘッダパイプ２３、２３は、ベッドフレーム１０の足元側において共通の管路２３ａにまとめられ、管路２３ａは、温風源３０に接続されている。なお、断熱シート１３ｂは、蓄熱体２１、２１…からの遠赤外線を反射させるために、上面にアルミニウム箔を備えることが好ましい。
【００１６】
温風源３０は、吸引側に消音器３１ａを有するファン３１と、パイプ３３ａにシーズヒータなどの電気式のヒータ３３ｂを挿着するパイプ形の加温器３３と、加温器３３からのエアの温度を調節するコントローラ３４とを組み合わせて構成されている。コントローラ３４は、センサ３４ａを介して加温器３３の出口側のエアの温度を計測し、設定器３４ｂを介して設定する目標温度となるようにヒータ３３ｂの通電電力を制御する。なお、設定器３４ｂは、ベッドフレーム１０の頭部側に設置されており、温風源３０は、ベッドフレーム１０の下部、すなわち枠体１３の下の架台フレーム１１に一体に組み付けられている。
【００１７】
枠体１３内の蓄熱体２１、２１…は、ヘッダパイプ２３、２３、エアパイプ２２、２２…を覆うようにして敷設されている。そこで、温風源３０を作動させると、温風源３０によって適温に加温されたエアは、ヘッダパイプ２３、２３を介してベッドフレーム１０の足元側からエアパイプ２２、２２…に供給され、エアパイプ２２、２２…のエアの吹出口２２ａ、２２ａ…から上向きに吹き出して蓄熱体２１、２１…を加温し、ベッドフレーム１０上に就寝する就寝者Ｍ用の暖房雰囲気を作ることができる。なお、エアパイプ２２、２２…の配設間隔は、頭部側より足元側が狭いから、いわゆる頭寒足熱の温度分布を実現することができる。ただし、各エアパイプ２２のエアの吹出口２２ａ、２２ａ…は、エアパイプ２２の配設位置によって形成個数や吹出し方向を変えてもよく、ヘッダパイプ２３、２３の足元側または全長にも、必要に応じてエアの吹出口を形成してもよい。
【００１８】
また、就寝中の暖房温度は、頭部側の操作箱１６内の設定器３４ｂを介して任意に調節することができる（図１）。ただし、操作箱１６内には、暖房温度を時間的にプログラム制御するタイマやマイクロコンピュータシステムを収納してもよく、衝立板１４の両側に設置するスピーカ１４ａ、１４ａから流す音響プログラムの再生システム等を併せて収納してもよい。
【００１９】
ベッドフレーム１０には、固定支柱４２、移動支柱４３、４３…を介して支持するトンネル形のカバー４１が付設されている（図１、図２）。カバー４１は、ベッドフレーム１０の足元側、左右両側において、架台フレーム１１の外側に長く垂下しており、頭部側には、中央にスリット４１ｂを有する長い垂れ布４１ａ、４１ａが付設されている。そこで、ベッドフレーム１０上の就寝者Ｍは、スリット４１ｂから頭部だけを外部に出して垂れ布４１ａ、４１ａにより両肩を覆うことにより、全身をカバー４１内に収納して保温することができる。
【００２０】
固定支柱４２は、パイプ材を逆Ｕ字状に屈曲させ、架台フレーム１１の左右に付設するガイドレール１５、１５の足元側の先端にねじ止めして立設されている。移動支柱４３、４３…は、それぞれ固定支柱４２と同形に形成され、車輪４３ｂ、４３ｂ付きのブラケット４３ａ、４３ａを介し、ガイドレール１５、１５に沿って移動自在に装着されている（図１、図５）。ただし、図１、図５には、移動支柱４３、４３…の各一方のブラケット４３ａのみが図示されている。
【００２１】
ベッドフレーム１０の最も頭部側の移動支柱４３は、固定支柱４２と同径のパイプ材により形成され、他の移動支柱４３、４３…は、固定支柱４２より小径のパイプ材により形成されている。なお、前者の移動支柱４３の各ブラケット４３ａには、ガイドレール１５の上面、下面の係合溝１５ａ、１５ａに係合するようにして、上下各一対の車輪４３ｂ、４３ｂ…が装着されており（図５、図６）、後者の移動支柱４３の各ブラケット４３ａには、上面の係合溝１５ａに係合する一対の車輪４３ｂ、４３ｂのみが装着されている。
【００２２】
各隣接する固定支柱４２、移動支柱４３、４３…は、左右の基部において、それぞれほぼ同長のワイヤ４４、４４…を介して連結されている。また、最も頭部側の移動支柱４３の各ブラケット４３ａには、架台フレーム１１上のストッパ４５ａに対応する磁石式のキャッチ４５がブラケット４５ｂを介して突設されている。ストッパ４５ａは、移動支柱４３の頭部側への移動限を規定するために、架台フレーム１１の頭部側の適位置に固定されている。
【００２３】
そこで、就寝の際に、カバー４１は、移動支柱４３、４３…を頭部側に移動させ、左右のキャッチ４５、４５、ストッパ４５ａ、４５ａを介して最も頭部側の移動支柱４３を固定することにより、頭部側に伸長して就寝者Ｍの全身を覆うことができる（図７（Ａ））。このとき、全てのワイヤ４４、４４…は、ほぼ直線状に伸び、固定支柱４２、移動支柱４３、４３…をほぼ均一の間隔にセットする。一方、就寝者Ｍが寝起きしたり、ベッドフレーム１０に乗降りしたりする際には、移動支柱４３、４３…を足元側に移動させ、カバー４１を頭部側から足元側に折り畳むことができる（同図（Ｂ））。なお、就寝者Ｍは、介護者の補助を求めることなく、必要に応じて移動支柱４３、４３…を簡単に移動させ、カバー４１を伸長させ、折り畳むことができる。
【００２４】
以上の説明において、熱源としての温風源３０は、枠体１３内の断熱シート１３ｂ上に敷設する床暖房用の電熱式の面状ヒータに代えてもよい。
【図面の簡単な説明】
【００２５】
【図１】全体構成斜視説明図（１）
【図２】全体構成斜視説明図（２）
【図３】要部構成説明図
【図４】模式系統図
【図５】要部拡大斜視図
【図６】図５のＺ−Ｚ線矢視相当拡大断面図
【図７】使用状態を示す模式説明図
【符号の説明】
【００２６】
１０…ベッドフレーム
１１…架台フレーム
１３…枠体
２１…蓄熱体
２２…エアパイプ
２２ａ…吹出口
２３…ヘッダパイプ
３０…温風源
３１…ファン
３１ａ…消音器
３３…加温器
３３ｂ…ヒータ
３４…コントローラ
４１…カバー
４２…固定支柱
４３…移動支柱
特許出願人          株式会社  ダイセー
代理人  弁理士          松  田  忠  秋
【図１】
2006320374.tif 000003
【図２】
2006320374.tif 000004
【図３】
2006320374.tif 000005
【図４】
2006320374.tif 000006
【図５】
2006320374.tif 000007
【図６】
2006320374.tif 000008
【図７】
2006320374.tif 000009